(57)【要約】【課題】支持部材への熱伝導による温度低下に起因する被支持部近傍の低温腐食を防ぐことのできる排気ガス処理装置の低温腐食防止構造を提供する。【解決手段】被支持部１０は、排気ガス処理装置の鉄皮１１に固定された支持金具１２と支持脚１３とが、支持脚１３の上面に固定された結合金具１４を介して結合されており、この被支持部１０の鉄皮１１の内面に被支持部１０を覆うように内側カバー１６がその脚部１６Ａで溶接固定され、鉄皮１１の内面との間に隔絶された断熱空間１７を形成して構成されている。【選択図】              図１
2005028287.tif 000002
【特許請求の範囲】
【請求項１】
排気ガス処理装置の支持部材による被支持部において、
前記被支持部と、その内部との間に隔絶された断熱空間が介設されて構成されていることを特徴とする排気ガス処理装置の低温腐食防止構造。
【請求項２】
上記支持部材は、前記排気ガス処理装置の外面に結合され、上記断熱空間は前記支持部材の結合部の内面側に形成されていることを特徴とする請求項１に記載の排気ガス処理装置の低温腐食防止構造。
【請求項３】
上記断熱空間は、上記支持部材の結合部の内面側に所定間隔を有して内側カバー部材が配設されて形成されていることを特徴とする請求項２に記載の排気ガス処理装置の低温腐食防止構造。
【発明の詳細な説明】
【０００１】
【発明の属する技術分野】
本発明は、例えばごみ焼却炉や産業廃棄物焼却炉からの排ガスから有害物質を除去するバグフィルタ等の排気ガス処理装置の低温腐食防止構造に関する。
【０００２】
【従来の技術】
都市ごみや下水汚泥等の廃棄物を焼却処理する焼却施設から排出される排気は、冷却装置によって冷却された後、バグフィルタ等の集塵装置によって煤塵を除去して排出される。
【０００３】
このような集塵装置では、煤塵の捕集効率の点からは排気ガス温度を低くしたい一方、低温腐食の発生は防ぎたいという相反する要求がある。
【０００４】
即ち、バグフィルタ等の集塵装置による煤塵の捕集効率は排気ガス温度が低い方が良いが、低すぎると排気ガス中に含まれるＳＯ３やＨＣｌが低温伝熱面で凝縮して塩酸や硫酸となって冷却装置より下流側の装置や流路の壁面を腐食させるいわゆる低温腐食が発生してしまう。
【０００５】
このため、排気ガスの温度を酸露点より僅かに高く１５０℃程度に設定すると共に、装置の壁面や路壁を保温材で覆って温度低下を防ぐ等して対応していた。
【０００６】
また、非特許文献１に開示のごとく、保温のためのヒーターを設けたり、装置本体と支持部材の間に断熱材を介装する等の構成も提案されている。
【０００７】
【非特許文献１】
発明協会公開技報  ２００１−１８２６号
【０００８】
【発明が解決しようとする課題】
しかしながら、上記従来のごとく装置の壁面や路壁を保温材で覆って温度低下を防いでも、装置を支持する支持部材の結合部近傍では支持部材への熱伝導によって局部的に温度が低下し、酸露点以下となってここに低温腐食を生ずるという問題があった。このような支持部材の結合部は装置本体の重量を支持する要強度部位であるため、強度を保ちつつ断熱材を介装した構成とすることは極めて困難であった。
【０００９】
本発明は、上記問題に鑑みてなされたものであって、支持部材への熱伝導による温度低下に起因する被支持部近傍の低温腐食を防ぐことのできる排気ガス処理装置の低温腐食防止構造を提供することを目的とする。
【００１０】
【課題を解決する為の手段】
上記目的を達成する本発明の排気ガス処理装置の低温腐食防止構造は、排気ガス処理装置の支持部材による被支持部において前記被支持部と、その内部との間に隔絶された断熱空間が介設されて構成されていることを特徴とする。
【００１１】
これにより、断熱空間が支持部材への熱の伝導を妨げ、熱伝導経路が長くなるために熱抵抗が大きくなり、内面の温度低下を抑制する。
【００１２】
また、上記支持部材は、前記排気ガス処理装置の外面に結合され、上記断熱空間は前記支持部材の結合部の内面側に形成されていることを特徴とする。
【００１３】
この構成により、断熱空間は支持部材による支持構造と無関係に形成できる。
【００１４】
更に、上記断熱空間は、上記支持部材の結合部の内面側に所定間隔を有して内側カバー部材が配設されて形成されていることを特徴とする。
【００１５】
この構成では、支持部材の結合部の内面側への断熱内側カバー部材の配設で、支持部材による支持構造と無関係に断熱空間を形成できる。
【００１６】
【発明の実施の形態】
以下、添付図面を参照して本発明の実施の形態について説明する。
【００１７】
図１（Ａ）は本発明に係る排気ガス処理装置の低温腐食防止構造の一構成例を示し、排気ガス処理装置の支持部材による被支持部１０を概念的に示す図である。
【００１８】
図示被支持部１０は、排気ガス処理装置の鉄皮１１に溶接等によって固定された支持金具１２と支持部材としての支持脚１３とが、支持脚１３の上面に固定された結合金具１４を介して結合されているものである。結合金具１４と支持脚１３との間には、断熱材１５が介装されている。
【００１９】
この被支持部１０の内側に、断熱内側カバー部材としての内側カバー１６が配設されている。
【００２０】
内側カバー１６は、薄い鋼板等を屈曲して、所定幅で上下両縁所定高さ脚部１６Ａを備えて形成されており、鉄皮１１の内面に被支持部１０を覆うようにしてその脚部１６Ａで溶接固定され、鉄皮１１の内面との間に所定間隔を有して設けられている。
【００２１】
これにより、内側カバー１６が、被支持部１０の内側に隔絶された断熱空間１７を形成しているものである。
【００２２】
上記のごとき構成では、内側カバー１６の脚部１６Ａが鉄皮１１に固定された部位：Ｐが、支持金具１２を介した支持脚１３への熱伝導経路が最短の部位であり、ここが、熱伝導によって最も温度低下が著しい（その結果低温腐食が最も生じ易い）部位となる。
【００２３】
ここで、この部位から流出する熱流束を二次元で考えると、λ：鉄皮１１の熱伝導率，Ｌ：距離，ΔΤ：内外の温度差として、熱流束＝λ／Ｌ×ΔΤとなる。
【００２４】
一方、図１（Ｂ）に示すように、上記構成と全く同条件で内側カバーが無い場合には、被支持部１０′の支持金具１２の内側の部位：Ｐ′が支持脚１３への熱伝導経路が最短で、その場合、鉄皮１１の厚さ：δとして、熱流束＝λ／δ×ΔΤとなる。
【００２５】
従って、上記のごとく内側カバー１６を備えることにより、熱流束はδ／Ｌの比率で減少し、断熱性能は逆にＬ／δの比率で高まる。
【００２６】
つまり、例えば板厚が６ｍｍの鉄皮１１に対してＬ＝６０ｍｍとなる内側カバー１６を設けることで、計算上１０倍の断熱性能を得ることができる。
【００２７】
これにより、支持脚１３への熱伝導による温度低下を極めて小さく抑えることができ、低温腐食を防ぐことができるものである。
【００２８】
尚、紙面と直交する方向には、内側カバー１６は支持金具１２のとの距離が上記距離：Ｌと同等かそれ以上離間するまで延設され、断熱空間１７の側面は閉塞されるものである。
【００２９】
次に、図２及び３に示すより具体的な構成例について説明する。
【００３０】
図２は排気ガス処理装置の一例であるバグフィルターの概念斜視図であり、図３（Ａ）はそのＡ−Ａ断面図，図３（Ｂ）は（Ａ）のＢ−Ｂ断面図である。
【００３１】
図示バグフィルター１は、下側にホッパーを備える立方体状の装置本体２０が、支持部材としての支持構造３０によって支持されている。
【００３２】
装置本体２０には、そのホッパーのテーパー部２１Ｂの開始角部近傍の周囲を巡って支持金具２２が配設されている。
【００３３】
支持構造３０は、装置本体２０より一回り大きい平面形状矩形の支持枠体３１の四隅に支持脚３２が結合されて構成され、この支持枠体３１が結合金具３３を介して支持金具２２を支持し、これによって装置本体２０を支持している。
【００３４】
結合金具３３は、支持枠体３１の四隅と長辺の中央の合計６カ所に設けられている。
【００３５】
このような支持構造によって支持される装置本体２０では、結合金具３３によって支持される部位が被支持部１０であり、ここが、熱伝導による温度低下が大きく低温腐食の虞が最も高い部位である。
【００３６】
この被支持部１０において、テーパー部２１Ｂが始まる内側の内角部位に、断熱内側カバー部材としての板状の内側カバー４０が装置本体２０の鉄皮２１の鉛直部２１Ａとテーパー部２１Ｂの間を渡して溶接固定されている。その側縁は、図３（Ｂ）に示すように、結合金具３３から所定距離以上に離間した位置で屈曲して側面部４１となっており、この側面部４１が鉄皮２１の内面に溶接されて、内角部位に外部と隔絶された断熱空間５０を形成している。
【００３７】
このような構成により、装置本体２０の内側から支持金具２２への熱伝導経路は断熱空間５０を迂回するために長くなって支持脚３２への熱抵抗が大きくなり、その結果、支持構造３０への熱伝導による被支持部１０の鉄皮２１の内面の温度低下を極めて小さく抑えることができ、低温腐食の発生を防ぐことができる。内側カバー４０は強度部材ではないために強固である必要なく、簡単な構成で高い断熱効果を得ることができると共に、既存の装置に後付けで補修することも容易に可能である。
【００３８】
尚、本発明は上記構成例に限るものではなく適宜変更可能なものである。例えば、鉄皮の外側にカバー部材を取り付けて断熱空間を形成しても良いものであるが、その場合カバー部材を介して装置を支持することとなって強度が必要となるため、上記構成例のように内面側に形成する方がより好ましい。
【００３９】
【発明の効果】
以上述べたように、本発明に係る排気ガス処理装置の低温腐食防止構造は、排気ガス処理装置の支持部材による被支持部において前記被支持部と、その内部との間に隔絶された断熱空間が介設されて構成されていることにより、熱伝導経路は断熱空間を迂回するために長くなり、熱抵抗が大きくなって支持部材への熱の伝導を妨げて内面の温度低下を抑制し、被支持部近傍の低温腐食を防ぐことができるものである。
【００４０】
また、上記支持部材は、排気ガス処理装置の外面に結合され、上記断熱空間は前記支持部材の結合部の内面側に形成されていることにより、断熱空間は支持部材による支持構造と無関係に簡単に構成できる。
【００４１】
更に、上記断熱空間は、上記支持部材の結合部の内面側に所定間隔を有して内側カバー部材が配設されて形成されていることにより、支持部材による支持構造と無関係に、内側への断熱内側カバー部材の配設のみの簡単な構成で断熱空間を形成でき、既存の装置への追加も容易に行うことができるものである。
【図面の簡単な説明】
【図１】（Ａ）は本発明に係る排気ガス処理装置の低温腐食防止構造の一構成例である排気ガス処理装置の支持部材による被支持部を概念的に示す図である。
【図２】低温腐食防止構造の一構成例を適用したバグフィルターの概念斜視図である。
【図３】（Ａ）は図２のＡ−Ａ断面図，（Ｂ）は（Ａ）のＢ−Ｂ断面図である。
【符号の説明】
１  バグフィルター（排気ガス処理装置）
１０  被支持部
１１  鉄皮
１３  支持脚（支持部材）
１６  内側カバー（内側カバー部材）
１７  断熱空間
２１  鉄皮
３０  支持構造（支持部材）
４０  内側カバー（内側カバー部材）
５０  断熱空間
【図１】
2005028287.tif 000003
【図２】
2005028287.tif 000004
【図３】
2005028287.tif 000005